(57)【要約】【課題】本発明は、バッテリ液温推定の時間間隔を可変にする方策を提案し、バッテリ液温推定装置の立ち上げタイミングをバッテリ周辺の温度の変化に基づいて決定し、消費電力を小さくし、かつ、バッテリ液温の推定誤差を最小限にすることを目的としている。【解決手段】このため、車両に搭載されたバッテリの液温を推定するバッテリ液温推定装置において、バッテリの周辺温度を検出する温度検出手段と、温度検出手段によって検出されたバッテリの周辺温度に基づいて、バッテリ液温を推定するバッテリ液温推定手段と、温度検出手段によって検出されたバッテリの周辺温度の変化に基づいて、次回バッテリ液温推定を行う時間間隔を決定する推定タイマ決定手段とを備え、推定タイマ決定手段により決定された時間にバッテリ液温を推定する。【選択図】図１
2016090316.tif 000002
【特許請求の範囲】
【請求項１】
車両に搭載されたバッテリの液温を推定するバッテリ液温推定装置において、前記バッテリの周辺温度を検出する温度検出手段と、この温度検出手段によって検出されたバッテリの周辺温度に基づいて、バッテリ液温を推定するバッテリ液温推定手段と、前記温度検出手段によって検出されたバッテリの周辺温度の変化に基づいて、次回バッテリ液温推定を行う時間間隔を決定する推定タイマ決定手段とを備え、この推定タイマ決定手段により決定された時間にバッテリ液温を推定することを特徴とするバッテリ液温推定装置。
【請求項２】
前記温度検出手段により検出されたバッテリの周辺温度を記憶する記憶手段を備え、前記推定タイマ決定手段は、前記温度検出手段により検出された今回のバッテリの周辺温度と前記記憶手段に記憶された前回のバッテリの周辺温度との差に基づいて、次回バッテリ液温推定を行う時間間隔を決定することを特徴とする請求項１に記載のバッテリ液温推定装置。
【請求項３】
前記推定タイマ決定手段は、前記バッテリの周辺温度の変化量が大きい場合はバッテリ液温推定を行う時間間隔を短く、バッテリの周辺温度の変化量が小さい場合はバッテリ液温推定を行う時間間隔を長くなるように決定することを特徴とする請求項１に記載のバッテリ液温推定装置。
【発明の詳細な説明】
【技術分野】
【０００１】
この発明はバッテリ液温推定装置に係り、特にバッテリ液温推定の時間間隔を可変とし、バッテリ液温推定装置の立ち上げタイミングをバッテリ周辺の温度の変化に基づいて決定するバッテリ液温推定装置に関するものである。
【背景技術】
【０００２】
従来、バッテリ液温推定装置に関しては、バッテリ液温をバッテリの周辺の温度センサ値から推定するものがある。
算出に使用する温度センサ値を、所定の時間毎（１時間〜数時間）にバッテリ液温推定装置（「ＥＣＵとも換言できる。」）を起動し取得している。
【０００３】
特許文献１に開示されるものは、ＩＧ−ＯＦＦ時のバッテリ液温の推定に必要となるバッテリ周辺の温度センサ値を取得するために、所定の時間間隔でバッテリ液温の推定を定期的に行っている。
追記すれば、特許文献１に開示されるものは、ソーク中に所定の時間（１時間〜数時間）毎にバッテリ液温推定装置を起動して周辺の温度を取得し、推定式からバッテリ液温の推定（算出）を行っている。
【０００４】
また、バッテリ液温をバッテリの周辺の温度センサ値から推定（算出）する方策に関し、バッテリ液温の推定の１回目に必要となる、バッテリ液温の初期値を推定する方策が、特許文献２に開示されている。
この特許文献２によると、初期値を、ＩＧ−ＯＦＦ時のバッテリ推定温度、ＩＧ−ＯＮ（イグニション・オン）時のバッテリ周辺温度、及び、エンジン停止時間（ソーク時間）から熱伝達のモデル式を用いて推定している。
ソーク時間が十分に長い場合は、バッテリ液温とバッテリ周辺の温度が同一とみなすことができるため、バッテリ周辺温度をそのまま初期値として用いている。
また、この推定はバッテリ液温がＩＧ−ＯＦＦ時から単調に低下することを前提として行っている。
しかし、上記方策では大きな推定誤差が生じる場合がある。
例えば、夕方にエンジンを切り、朝にＩＧ−ＯＮする場合、夜間、バッテリ液温は単調に低下するが、朝、外気温が上がると、バッテリ周辺の温度とバッテリ液温は上昇する。
このとき、周辺温度の上昇よりバッテリ液温の上昇のほうが遅くなる。
そのため、バッテリ周辺の温度を推定の初期値にすると、大きな推定誤差が生じる。
よって、ソーク時間が長い場合でも、バッテリ液温を推定する必要がある。
また、周辺の温度によってバッテリ液温が低下する速さは変化してしまう。
そのため、ソーク中にバッテリ周辺の温度を定期的に取得し、バッテリ液温の推定を繰り返し行うことが望ましい。
【先行技術文献】
【特許文献】
【０００５】
【特許文献１】特許第４４６６７３４号公報
【特許文献２】特開２００８−２４９４５９号公報
【発明の概要】
【発明が解決しようとする課題】
【０００６】
このため、従来のバッテリ液温推定装置においては、ＩＧ−ＯＦＦ時のバッテリ液温の変化量が様々な要因でばらつくため、推定誤差を小さくするには、温度検出手段の値を取得するバッテリ液温の推定の時間間隔を短くする必要がある。
しかし、特許文献１に開示されるものでは、バッテリ液温の推定の時間間隔を所定の時間で固定しているため、時間間隔を短くすると、推定誤差は小さくなり、消費電力が大きくなる。
一方、時間間隔を長くすると、消費電力は小さくなり、推定誤差が大きくなるという不都合がある。
【０００７】
この発明は、バッテリ液温推定の時間間隔を可変にする方策を提案し、バッテリ液温推定装置の立ち上げタイミングをバッテリ周辺の温度の変化に基づいて決定し、消費電力を小さくし、かつ、バッテリ液温の推定誤差を最小限にすることを目的とする。
【課題を解決するための手段】
【０００８】
そこで、この発明は、上述不都合を除去するために、車両に搭載されたバッテリの液温を推定するバッテリ液温推定装置において、前記バッテリの周辺温度を検出する温度検出手段と、この温度検出手段によって検出されたバッテリの周辺温度に基づいて、バッテリ液温を推定するバッテリ液温推定手段と、前記温度検出手段によって検出されたバッテリの周辺温度の変化に基づいて、次回バッテリ液温推定を行う時間間隔を決定する推定タイマ決定手段とを備え、この推定タイマ決定手段により決定された時間にバッテリ液温を推定することを特徴とする。
【発明の効果】
【０００９】
この発明によれば、バッテリの周辺温度の変化に基づいて、次回バッテリ温度推定を行う時間間隔を決定するため、バッテリ液温推定による消費電力を抑えつつ、誤差の少ないバッテリ液温の推定を行うことができる。
【図面の簡単な説明】
【００１０】
【図１】図１はバッテリ液温推定装置の制御用フローチャート図である。（実施例１）
【図２】図２はバッテリ液温推定装置のシステム図である。（実施例１）
【図３】図３は時間間隔Ｔとバッテリ周辺温度の今回値と前回値との差との関係を示す図である。（実施例１）
【図４】図４はバッテリ液温推定装置のシステム図である。（実施例２）
【発明を実施するための形態】
【００１１】
以下図面に基づいてこの発明の実施例を詳細に説明する。
【実施例１】
【００１２】
図１〜図３はこの発明の実施例を示すものである。
図２において、１はバッテリ液温推定装置である。
このバッテリ液温推定装置１は、図示しない車両に搭載されたバッテリ７の液温を推定している。
つまり、前記バッテリ液温推定装置１は、温度検出手段２と、バッテリ液温推定手段３と、推定タイマ決定手段４とを備えている。
このとき、前記温度検出手段２は、前記バッテリ７の周辺温度を温度センサ５によって検出し、この検出信号を入力している。
前記バッテリ液温推定手段３は、前記温度検出手段２に入力されたバッテリ７の周辺温度の検出信号に基づいて、バッテリ液温を推定している。
前記推定タイマ決定手段４は、前記温度検出手段２に入力されたバッテリ７の周辺温度の検出信号の変化に基づいて、次回バッテリ液温推定を行う時間間隔を決定している。
【００１３】
そして、前記バッテリ液温推定装置１は、前記推定タイマ決定手段４により決定された時間にバッテリ液温を推定する構成とする。
詳述すれば、前記バッテリ液温推定装置１は、前記温度検出手段２によって、ＩＧ−ＯＦＦ時のバッテリ液温の推定に使用するバッテリ７の周辺温度を前記温度センサ５を起動して取得する。
そして、前記バッテリ液温推定装置１は、前記バッテリ液温推定手段３によって、前記温度検出手段２に入力されたバッテリ７の周辺温度の検出信号に基づいてバッテリ液温を推定するとともに、前記推定タイマ決定手段４によって、前記温度検出手段２に入力されたバッテリ７の周辺温度の検出信号の変化に基づいて次回バッテリ液温推定を行う時間間隔を決定している。
その後、前記バッテリ液温推定手段３は、前記推定タイマ決定手段４によって決定された時間にバッテリ液温を推定している。
これにより、前記バッテリ液温推定装置１は、バッテリ７の周辺温度の変化に基づいて、次回バッテリ温度推定を行う時間間隔を決定するため、バッテリ液温推定による消費電力を抑えつつ、誤差の少ないバッテリ液温の推定を行うことができる。
また、誤差の少ないバッテリ液温の推定を行うことが可能なことにより、アイドルストップ頻度が上がり、燃費を向上させることができる。
【００１４】
また、前記バッテリ液温推定装置１は、前記温度検出手段２により検出されたバッテリ７の周辺温度を記憶する記憶手段６を備えている。
そして、前記推定タイマ決定手段４は、前記温度検出手段２により検出された今回のバッテリ７の周辺温度と前記記憶手段６に記憶された前回のバッテリ７の周辺温度との差に基づいて、次回バッテリ液温推定を行う時間間隔Ｔを決定している。
これにより、前記バッテリ液温推定装置１は、今回のバッテリ周辺温度（「今回値」とも換言できる。）と前回のバッテリ周辺温度（「前回値」とも換言できる。）との差に基づいて、次回バッテリ液温推定を行う時間間隔Ｔを決定するため、バッテリ液温を精度よくかつ簡単に推定することができる。
【００１５】
更に、図３に示すように、前記推定タイマ決定手段４は、前記バッテリ７の周辺温度の変化量、つまり、バッテリ周辺温度の今回値と前回値との差が大きい場合はバッテリ液温推定を行う時間間隔Ｔを短く、バッテリ７の周辺温度の変化量が小さい場合はバッテリ液温推定を行う時間間隔Ｔを長くなるように決定している。
つまり、前記バッテリ７の周辺温度の変化量が大きい場合には、バッテリ７の周辺温度の変化による影響が大きくなる可能性があると推察してバッテリ液温推定を行う時間間隔Ｔを短くしている。
一方、バッテリ７の周辺温度の変化量が小さい場合には、バッテリ７の周辺温度の変化による影響が小さいと推察してバッテリ液温推定を行う時間間隔Ｔを長くしている。
これにより、バッテリ推定を行う時間間隔Ｔを好適に決定することができる。
【００１６】
次に、図１の前記バッテリ液温推定装置１の制御用フローチャートに沿って作用を説明する。
【００１７】
このバッテリ液温推定装置１の制御用プログラムがスタート（１０１）すると、ＩＧ−ＯＦＦであるか否かの判断（１０２）に移行する。
この判断（１０２）においては、車両に搭載されるエンジンの停止時か否かを判断している。
判断（１０２）がＮＯの場合には、エンジンの駆動時であるため、ＩＧ−ＯＮ時の液温推定値算出処理（１０３）に移行し、その後に、ＩＧ−ＯＦＦであるか否かの判断（１０２）に戻る。
また、判断（１０２）がＹＥＳの場合には、バッテリ液温推定値を前記記憶手段６に保存する処理（１０４）と、次回推定時間間隔Ｔ算出処理（１０５）とに移行する。
処理（１０４）において、前記温度検出手段２により検出されたバッテリ７の周辺温度から前記バッテリ液温推定手段３により推定したバッテリ液温推定値を、バッテリ７の周辺温度として前記記憶手段６に記憶させる処理である。
また、次回推定時間間隔時間間隔Ｔ算出処理（１０５）においては、前記温度検出手段２により検出された今回のバッテリ７の周辺温度と、前記記憶手段６に記憶されたバッテリ液温推定値である前回のバッテリ７の周辺温度との差に基づいて、前記推定タイマ決定手段４によって、次回バッテリ液温推定を行う時間間隔Ｔを決定し、前記記憶手段６に記憶させている。
そして、前記バッテリ液温推定装置１の電源をＯＦＦする処理（１０６）に移行する。
その後、時間間隔Ｔが経過したか否かの判断（１０７）に移行する。
この判断（１０７）においては、今回のバッテリ７の周辺温度と前回のバッテリ７の周辺温度との差に基づいて、前記推定タイマ決定手段４によって決定した時間間隔Ｔが経過したか否かを判断している。
判断（１０７）がＮＯの場合には、この判断（１０７）がＹＥＳとなるまで、判断（１０７）を繰り返し行う。
判断（１０７）がＹＥＳの場合には、前記バッテリ液温推定装置１の電源をＯＮする処理（１０８）に移行する。
そして、処理（１０８）によって前記バッテリ液温推定装置１の電源をＯＮした後には、前記温度検出手段２の値取得の処理（１０９）に移行する。
処理（１０９）においては、温度検出手段２によって、ＩＧ−ＯＦＦ時のバッテリ液温の推定に使用するバッテリ７の周辺温度を前記温度センサ５を起動して取得している。
その後は、バッテリ液温推定値算出処理（１１０）に移行する。
この処理（１１０）においては、前記温度検出手段２により検出されたバッテリ７の周辺温度から前記バッテリ液温推定手段３によってバッテリ液温推定値を推定している。
このバッテリ液温推定値算出処理（１１０）の後には、上述した前記バッテリ液温推定装置１の制御用プログラムのＩＧ−ＯＦＦであるか否かの判断（１０２）に戻る。
【実施例２】
【００１８】
図４はこの発明の実施例２を示すものである。
この実施例２において、上述実施例１のものと同一機能を果たす箇所には、同一符号を付して説明する。
【００１９】
この実施例２の特徴とするところは、バッテリ液温推定装置１１に、他のセンサ、例えば外気温センサ１２を追加使用する構成とした点にある。
【００２０】
すなわち、前記バッテリ液温推定装置１１は、上述した実施例１のバッテリ液温推定装置１と同様に、図４に示す如く、温度検出手段２と、バッテリ液温推定手段３と、推定タイマ決定手段４と、温度センサ５と、記憶手段６とを備えている。
そして、前記温度検出手段２に前記温度センサ５を接続させるとともに、前記外気温センサ１２をも接続している。
【００２１】
さすれば、前記温度検出手段２には、温度センサ５からの前記バッテリ７の周辺温度のみでなく、前記外気温センサ１２からの外気温度も取り込むことができるため、前記バッテリ液温推定装置１１は、バッテリ７の周辺温度及び外気温度の変化に基づいて、次回バッテリ温度推定を行う時間間隔を決定することとなり、バッテリ液温推定による消費電力をより一層抑えつつ、誤差の少ないバッテリ液温の推定を行うことができる。
また、誤差の少ないバッテリ液温の推定を行うことが可能なことにより、アイドルストップ頻度が上がり、燃費を向上させることができる。
【符号の説明】
【００２２】
１、１１  バッテリ液温推定装置
２  温度検出手段
３  バッテリ液温推定手段
４  推定タイマ決定手段
５  温度センサ
６  記憶手段
７  バッテリ
１２  外気温センサ
【図１】
2016090316.tif 000003
【図２】
2016090316.tif 000004
【図３】
2016090316.tif 000005
【図４】
2016090316.tif 000006